(57)【特許請求の範囲】
【請求項１】
アナログ入力信号を所定のサンプリング間隔でディジタル信号に変換するＡ／Ｄ変換回路と、同Ａ／Ｄ変換回路から出力されるディジタル信号を記憶する記憶手段と、同記憶手段に記憶された所定数のディジタル信号について平均化処理する演算機能を有する制御手段と、同制御手段から送出される測定値を表示する表示手段とを備えてなる測定器における測定値の表示方法において、上記制御手段は、上記Ａ／Ｄ変換回路からディジタル信号が出力されるごとに、今回データと前回データとを比較し、その変動量が所定範囲内であるときには、上記記憶手段内の所定数のディジタル信号について平均化処理を実行してその平均値を上記表示手段に表示し、上記変動量が所定範囲外である場合には、上記平均化処理を行なうことなく、上記今回データをそのまま上記表示手段に表示することを特徴とする測定器における測定値の表示方法。
【発明の詳細な説明】
【０００１】
【発明の属する技術分野】
本発明は測定器における測定値の表示方法に関し、さらに詳しく言えば、Ａ／Ｄ変換回路を有する測定器において、そのＡ／Ｄ変換の変動量に応じて測定値の表示を変更するようにした測定値の表示方法に関するものである。
【０００２】
【従来の技術】
アナログ入力信号をＡ／Ｄ（アナログ／ディジタル）変換回路にてディジタル信号に変換する場合、そのアナログ入力信号が一定であっても、この変換回路の特性などのために、ディジタル信号の下位の１ビットが変化することがあり、これが原因で表示がふらつき、ユーザーに無用な不安感を与えることになる。
【０００３】
このような変動を抑えるために、従来より次のようなＡ／Ｄ変換値の平均化処理が行われている。すなわち、Ａ／Ｄ変換回路から所定のサンプリング間隔で順次出力されるディジタル信号をＲＡＭなどのメモリに記憶させ、そのディジタル信号の数が所定数になった時点で、その平均値を算出して表示器へ送る。
【０００４】
このように、所定数のディジタル信号が集まるごとに、これらのＡ／Ｄ変換値を平均する平均化処理により、表示器へ送られるディジタル信号が安定する。その結果、表示器に表示される下位の数字の変動を抑えることができる。
【０００５】
【発明が解決しようとする課題】
しかしながら、アナログ入力信号が変動している場合、このような平均化処理を行なうと、かえって不都合が生ずることがある。例えば、５個のＡ／Ｄ変換値についてその平均化処理が行なわれものとして、図４に例示されているように、アナログ入力信号が０Ｖ→２Ｖ（フルスケール）に上昇する過程で、ｔ１，ｔ２，ｔ３，ｔ４，ｔ５時においてそれぞれサンプリングが行なわれるものとする。なお、２Ｖ（フルスケール）時のＡ／Ｄ変換値（カウント値）は１００００であるとする。
【０００６】
ここで、例えばｔ１時のカウント値が２０００、ｔ２時のカウント値が４０００、ｔ３時のカウント値が６０００、ｔ４時のカウント値が８０００、ｔ５時のカウント値が１００００であるとして、これについて平均化処理が行なわれると、
（２０００＋４０００＋６０００＋８０００＋１００００）／５＝６０００
となり、本来、１００００（２Ｖ）と表示されるべきところ、６０００（１．２Ｖ）表示となり、真値が表示されないことになる。
【０００７】
本発明は、このような課題を解決するためになされたもので、その目的は、アナログ入力信号が比較的安定しているときには平均化処理を行ない、これに対してアナログ入力信号が変動している場合には、平均化処理を行なうことなく、その入力信号に追従した測定値表示を行なうようにした測定器における測定値の表示方法を提供することにある。
【０００８】
【課題を解決するための手段】
上記目的を達成するため、本発明は、アナログ入力信号を所定のサンプリング間隔でディジタル信号に変換するＡ／Ｄ変換回路と、同Ａ／Ｄ変換回路から出力されるディジタル信号を記憶する記憶手段と、同記憶手段に記憶された所定数のディジタル信号について平均化処理する演算機能を有する制御手段と、同制御手段から送出される測定値を表示する表示手段とを備えてなる測定器における測定値の表示方法において、上記制御手段は、上記Ａ／Ｄ変換回路からディジタル信号が出力されるごとに、今回データと前回データとを比較し、その変動量が所定範囲内であるときには、上記記憶手段内の所定数のディジタル信号について平均化処理を実行してその平均値を上記表示手段に表示し、上記変動量が所定範囲外である場合には、上記平均化処理を行なうことなく、上記今回データをそのまま上記表示手段に表示することを特徴としている。
【０００９】
このように、本発明によれば、アナログ入力信号が安定している場合には、平均化処理が行なわれるため、Ａ／Ｄ変換回路の変換誤差に基づく表示のふらつきが防止される。これに対して、アナログ入力信号が変動している場合には、平均化処理を行なうことなく、サンプリングつどのＡ／Ｄカウント値が瞬時値としてそのまま表示されることになる。
【００１０】
【発明の実施の形態】
次に、本発明の技術的思想をよりよく理解するうえで、その実施の形態を図面を参照しながら説明する。
【００１１】
図１には、本発明を実施するうえでの測定器の構成が概略的に示されている。これによると、同測定器は例えば二重積分型のＡ／Ｄ変換回路１と、制御手段としてのＣＰＵなどからなる演算回路２と、記憶手段としてのＲＡＭ（ランダムアクセスメモリ）３と、ディスプレイもしくはプリンタに該当する表示器４とを備え、これらはバス５によって互いに接続されている。
【００１２】
これを基本的な構成として、演算回路２の動作を図２および図３のフローチャートにしたがって説明する。まず、ステップＳ１において、平均化処理用のカウンタをリセットする。この実施例において、カウンタは演算回路２に内蔵されているものとする。
【００１３】
Ａ／Ｄ変換回路１は所定のサンプリング間隔でアナログ入力信号をディジタル信号に変換するが、ステップＳ２でそのサンプリングごとにＡ／Ｄ変換が終了したかどうかを判断し、ＹＥＳであれば演算回路２はステップＳ３において、Ａ／Ｄ変換回路１からのディジタル信号を今回データとして取り込む。
【００１４】
そして、ステップＳ４で平均化処理用のカウンタの値が「０」、すなわちカウンタがリセットされた初期の状態かどうかを判断する。ＹＥＳで、この今回データが最初のデータの場合には、ステップＳ４ａに移行してその最初のデータをＲＡＭ３に格納した後、ステップＳ４ｂで平均化処理用のカウンタを「１」としてステップＳ２に戻る。
【００１５】
これに対して、ステップＳ４で平均化処理用のカウンタの値が「０」でない、すなわち前回データがある場合には、ステップＳ５でＲＡＭ３からその前回データを読み出し、引き続いてステップＳ６において、今回データのＡ／Ｄカウント値と前回データのＡ／Ｄカウント値を比較し、その差を算出する。
【００１６】
演算回路２は、次段のステップＳ７において、ステップＳ６で算出した差から、前回データに対して今回データが変動しているかどうかを判断する。この判断をするとき、ステップＳ６で算出した差が、あらかじめ設定されている範囲以内にあるかどうかで判断する。その範囲は、入力信号であるアナログ信号のふらつきや、Ａ／Ｄ変換回路自身の変換誤差を考慮した測定器の確度などから任意に設定することができる。
【００１７】
演算回路２は、ステップＳ７で変動が無いと判断すると、ステップＳ８で今回データをＲＡＭ３へ記憶させ、ステップＳ９で平均化処理用のカウンタを「＋１」だけアップさせる。そして、ステップＳ１０において、平均化処理用のカウンタの値が、あらかじめ設定されている値ｍ（例えば「５」）になったかどうかを判断する。
【００１８】
ステップＳ１０で、カウンタの値が値ｍに達していなければ、演算回路２は処理をステップＳ２へ戻す。これにより、演算回路２はｍ個のデータがＲＡＭ３に集まるまで、ステップＳ２からステップＳ９の処理を繰り返す。
【００１９】
ステップＳ１０でカウンタの値が値ｍに達していれば、演算回路２は、ステップＳ１１でＲＡＭ３に格納されているｍ個のデータを読み出し、ステップＳ１２でそのｍ個のデータについて平均化処理を行なった後、ステップＳ１３でその平均値データを表示器４へ送出する。そして、ステップＳ１４でＲＡＭ３内のデータをクリアした後、ステップＳ１に戻る。
【００２０】
これに対して、ステップＳ７で今回データと前回データとの間で変動が有ると判断すると、ステップＳ１５を実行して、今回データを表示器４へ送出した後、ステップＳ１に戻る。これにより、表示器４には平均化処理をしない今回データが瞬時値としてそのまま表示されることになる。
【００２１】
このように、アナログ入力信号が比較的安定しているときには、平均化処理を行なうことにより、ディジタル表示の下位桁のふらつき（変動）を抑えることができる。これに対して、アナログ入力信号が変動している場合には、平均化処理を省略してその瞬時値を表示するので、その表示をアナログ入力信号の変動に追従させることができる。
【００２２】
また、平均化処理を行なうことにより、Ａ／Ｄ変換回路に分解能の低いものを使用しても、見かけ上分解能を高めることができる。したがって、低価格でありながら、高分解表示が可能な測定器が提供される。
【００２３】
なお、図２および図３に示したフローチャートは一例であって、上記実施例では平均化処理した後、ステップＳ１４でＲＡＭ３の内容をクリアするようにしているが、ＲＡＭ３の記憶容量の許すかぎり、変換データを累積的に格納するようにしてもよい。また、平均化処理の手法としては、単純平均のほかに、例えば、移動平均を用いる処理、指数化平均を用いる処理など、各種のものが適用可能である。
【００２４】
【発明の効果】
以上説明したように、本発明によれば、アナログ入力信号が比較的安定しているときには、平均化処理を行ない、これに対してアナログ入力信号が変動している場合には、平均化処理を行なうことなく、その瞬時値を直ちに表示するようにしたことにより、ディジタル表示の下位桁のふらつき現象を抑えるとともに、アナログ入力信号に追従した真値表示が行なわれる。
【図面の簡単な説明】
【図１】本発明を実施するうえでの測定器の基本的な構成を示したブロック図。
【図２】図１の演算回路の処理手順を示すフローチャート。
【図３】図１の演算回路の処理手順を示すフローチャート。
【図４】従来において、アナログ入力信号が変動している場合の平均化処理を説明するための説明図。
【符号の説明】
１  Ａ／Ｄ変換回路
２  演算回路（ＣＰＵ）
３  記憶装置（ＲＡＭ）
４  表示器
５  バス
【図１】
0003696721.tif 000002
【図２】
0003696721.tif 000003
【図３】
0003696721.tif 000004
【図４】
0003696721.tif 000005